(57)【特許請求の範囲】
【請求項１】
基板上に形成された一対のランドを含む配線パターンと、
前記ランドに並列に実装された少なくとも２つの電流検出用抵抗器と、
前記一対のランドから導出された検出端子と、を備え、
一の電流検出用抵抗器の実装部の近傍および他の電流検出用抵抗器の実装部の近傍の配線パターンの抵抗値を下げるための調整素子を備えたことを特徴とする電流検出用抵抗器の実装構造。
【請求項２】
前記配線パターンの少なくとも一方は、前記電流検出用抵抗器の電極配置方向と略直角方向に延びていることを特徴とする請求項１に記載の電流検出用抵抗器の実装構造。
【請求項３】
基板上に形成された一対のランドを含む配線パターンと、
前記ランドに並列に実装された少なくとも２つの電流検出用抵抗器と、を備え、
一の電流検出用抵抗器の電極の端部から、他方の電流検出用抵抗器の電極の端部に及ぶ調整素子であって、電流検出用抵抗器よりも電気抵抗率が低い調整素子を備えたことを特徴とする電流検出用抵抗器の実装構造。
【発明の詳細な説明】
【技術分野】
【０００１】
本発明は電流検出に用いられる抵抗器の実装構造に関する。
【背景技術】
【０００２】
電池の充放電電流を監視し、電池の充放電電流を制御する等の目的で電流検出用抵抗器が使用される。電流検出用抵抗器は、監視対象電流の経路に挿入され、該電流によって抵抗器両端に生じる電圧を検出し、既知の抵抗値から電流を検出する。このような用途では、例えば１０ｍΩ以下の低抵抗値の電流検出用抵抗器が用いられる場合があるが、さらなる低抵抗値の要求に対して、電流検出用抵抗器１５ａ，１５ｂを配線パターン１１ａ、１１ｂ間に複数並列に実装することがある（図１参照）。
【０００３】
係る用途に好適な電流検出用抵抗器として、特許文献１に記載の構造が知られている。このような構造の抵抗器であって、例えば０．２ｍΩ程度の低抵抗値の電流検出用抵抗器を２個並列に接続することで、０．１ｍΩ程度の合成抵抗値とすることができる。
【先行技術文献】
【特許文献】
【０００４】
【特許文献１】特開２００２−５７００９号公報
【発明の概要】
【発明が解決しようとする課題】
【０００５】
しかしながら、０．１ｍΩ程度の低抵抗値となると、配線パターンに流れる電流の状態が無視できなくなる。例えば、図２（ａ）に示す一方の配線パターン１１ａの端部Ｘから他方の配線パターン１１ｂの端部Ｙに電流が流れる場合と、図２（ｂ）に示す配線パターン１１ａの端部Ｘから配線パターン１１ｂの端部Ｚに電流が流れる場合とでは、２個の抵抗器１５ａ，１５ｂに流れる電流に偏りが生じる。そうすると、２個の抵抗器１５ａ，１５ｂに均等に電流が流れる場合と比較して、検出電圧に誤差が生じることになる。
【０００６】
本発明は、上述の事情に基づいてなされたもので、低抵抗値の抵抗器を並列接続して電流検出する場合に、配線パターンの電流経路に基づく並列接続した抵抗器の電流の偏りを低減し、検出電圧に生じる誤差を低減できる電流検出用抵抗器の実装構造を提供することを目的とする。
【課題を解決するための手段】
【０００７】
本発明の電流検出用抵抗器の実装構造は、基板上に形成された一対のランドを含む配線パターンと、前記ランドに並列に実装された少なくとも２つの電流検出用抵抗器と、前記一対のランドから導出された検出端子と、を備え、一の電流検出用抵抗器の実装部の近傍および他の電流検出用抵抗器の実装部の近傍の配線パターンの抵抗値を下げるための調整素子を備えたことを特徴とする。
【０００８】
本発明によれば、調整素子を実装した部位においては、配線パターンの等価的な電気抵抗率が低くなる。このため、電流方向が異なった場合でも、調整素子によって抵抗器実装部分周辺の電位が変化することが抑制される。従って、並列接続したそれぞれの抵抗器に、それぞれの抵抗値に相応の電流が分流することとなり、電流検出精度の安定性が維持される。
【図面の簡単な説明】
【０００９】
【図１Ａ】２個並列接続した電流検出用抵抗器の従来の実装構造を示す斜視図である。
【図１Ｂ】図１Ａの平面図である。
【図２】電流経路を破線で示す図であり、（ａ）はＸからＹに電流が流れる場合を示し、（ｂ）はＸからＺに電流が流れる場合を示す。
【図３】本発明の一実施例の電流検出用抵抗器の実装構造を示す斜視図である。
【図４】図３の平面図である。
【図５】本発明の説明に用いるグラフのＸ軸と電圧検出端子取出位置Ｓとの関係を示す説明図である。
【図６】従来の実装構造における、電流経路がＸ→Ｙの場合（実線）と電流経路がＸ→Ｚの場合（波線）の取出位置Ｓに対する出現抵抗値を示すグラフである。
【図７】従来の実装構造における、電流経路がＸ→Ｙの場合（実線）と電流経路がＸ→Ｚの場合（波線）の取出位置Ｓに対する抵抗温度係数（TCR）を示すグラフである。
【図８】本発明の実装構造における、電流経路がＸ→Ｙの場合（実線）と電流経路がＸ→Ｚの場合（波線）の取出位置Ｓに対する出現抵抗値を示すグラフである。
【図９】本発明の実装構造における、電流経路がＸ→Ｙの場合（実線）と電流経路がＸ→Ｚの場合（波線）の取出位置Ｓに対する抵抗温度係数（TCR）を示すグラフである。
【図１０】本発明の第１変形例の電流検出用抵抗器の実装構造を示す斜視図である。
【図１１】本発明の第２変形例の電流検出用抵抗器の実装構造を示す斜視図である。
【図１２】本発明の第３変形例の電流検出用抵抗器の実装構造を示す斜視図である。
【図１３】本発明の第４変形例の電流検出用抵抗器の実装構造を示す斜視図である。
【発明を実施するための形態】
【００１０】
以下、本発明の実施形態について、図３乃至図１３を参照して説明する。なお、各図中、同一または相当する部材または要素には、同一の符号を付して説明する。
【００１１】
図３および図４は本発明の一実施例の電流検出用抵抗器の実装構造を示す。この実施例では、基板上に形成された一対のランドを含む配線パターン１１ａ、１１ｂと、ランド間に並列に実装された少なくとも２つの電流検出用抵抗器１５ａ、１５ｂを備える。ここで、配線パターン１１ａ、１１ｂの少なくとも一方は、電流検出用抵抗器１５ａ、１５ｂの電極配置方向と略直角方向に延びている（図示省略）。つまり電流検出用抵抗器１５ａ、１５ｂを流れる電流は、電流検出用抵抗器１５ａ、１５ｂの電極配置方向と同一方向に直線的に流入および流出するのではなく、電流の流入方向および／または流出方向が、電極の配置方向と異なっている。
【００１２】
一対のランドからは一対の引出線１２ａ、１２ｂが導出され、電圧検出端子として機能し、この線間電圧を計測することで、２個の並列接続した抵抗器１５ａ、１５ｂの電極間の電圧、すなわち、抵抗器１５ａ、１５ｂに流れる電流を計測することができる。
【００１３】
抵抗器１５ａ，１５ｂは銅ニッケル合金、銅マンガンニッケル合金等の金属抵抗材料からなる平板状の抵抗体の両端に銅等の高導電性材料の電極を接合した構造を有している。一例として、抵抗器１５ａ，１５ｂの幅は８ｍｍであり、長さは１０ｍｍである。この抵抗器の抵抗値は１個あたり０．２ｍΩであり、２個並列接続することで、合成抵抗値０．１ｍΩが得られる。
【００１４】
一対の配線パターン１１ａ、１１ｂには、一の電流検出用抵抗器１５ａの実装部の近傍および他の電流検出用抵抗器１１ｂの実装部の近傍に、配線パターンの抵抗値を下げるための調整素子２１ａ、２１ｂを備える。すなわち、この実施例では、配線パターン１１ａにおいて、抵抗器１５ａ，１５ｂの両端の実装部近傍に、電極の配置方向と略直角方向に調整素子２１ａ、２１ｂを配置する。
【００１５】
調整素子２１ａ、２１ｂは、ＣｕやＡｌなどの高導電性材料を用いて製作されており、配線パターンや抵抗器よりも電気抵抗率が低い。図示するように、調整素子の厚みは配線パターンの厚みよりも厚く、また、抵抗器の電極よりも厚い。調整素子２１ａ、２１ｂは、はんだ付けや、溶接等により配線パターン上に実装する。はんだ付けを行う場合は、調整素子が配線パターンに当接する部位にＳｎやＮｉなどの表面処理があるとはんだ付けが容易になる。
【００１６】
調整素子２１ａ、２１ｂを実装した部位においては、配線パターンの等価的な電気抵抗率が低くなる。このため、配線パターンの電源位置の変化等により電流方向が変わったとしても、調整素子によって抵抗器実装部分周辺の電位が変化することが抑制され、並列接続した抵抗器の電流検出精度の安定性が維持される。調整素子自体の抵抗値は低いほど電位調整効果は高い。
【００１７】
次に、調整素子を備えない従来の実装構造（図１参照）と本発明の調整素子を備えた実装構造（図３参照）による効果を対比して検討する。まず、図２（ａ）に示すように配線パターン１１ａ、１１ｂの一方の端部Ｘ，Ｙ側に電源が接続されている等の理由により、電流経路がＸからＹにＵ字型となる場合である。この場合に、２個の抵抗器１５ａ，１５ｂには、配線パターンの抵抗により外側の抵抗器１５ａの電流が減少し、内側の抵抗器１５ｂの電流が増加すると考えられる。すなわち、２個の抵抗器１５ａ，１５ｂに電流分布の偏りが生じる。
【００１８】
これに対し、図２（ｂ）に示すように、電流経路がＸからＺに配線パターン１１ａ、１１ｂにおいて同一方向に流れる場合である。この場合には、２個の抵抗器１５ａ，１５ｂに略均等に電流が流れると考えられる。
【００１９】
調整素子の効果を検証するため、電流経路がＸ→Ｙの場合とＸ→Ｚの場合について、電圧検出端子Ｓの導出位置によって、どのように特性が変化するかを検証した。具体的には、図５下部に示す配線パターンからの電圧検出端子取出位置Ｓを両抵抗器１５ａ，１５ｂの中心位置を０．００とし、取出位置Ｓを、両抵抗器を固定した状態で左右に移動させ、出現抵抗値および抵抗温度係数（TCR）を測定した。そして、図５上部に示すグラフに、横軸を電圧検出端子取出位置Ｓとし、縦軸を出現抵抗値（ｍΩ）または抵抗温度係数（ｐｐｍ／℃）として、位置Ｓの変化による出現抵抗値と抵抗温度係数の変化を調べた。
【００２０】
図６および図７は調整素子が存在しない実装構造における出現抵抗値および抵抗温度係数（TCR）のグラフである。実線で示すのが、電流をＸ→Ｙへ流した場合で、破線で示すのが、電流をＸ→Ｚへ流した場合である。このグラフで示すとおり、電圧検出端子取出位置Ｓが０ｍｍ、つまり、並列接続した２つの抵抗器１５ａ，１５ｂの中間においては、出現抵抗値や抵抗温度係数が安定する。しかし、実線で示す電流経路がＸ→Ｙの場合には、これをはずれた位置では、出現抵抗値や抵抗温度係数が大きく変化する。従って、抵抗器の実装位置のバラツキによって特性が変化し易く、安定した精度の電流検出が難しくなる。
【００２１】
図８および図９は調整素子を実装した本発明の実装構造における出現抵抗値および抵抗温度係数（TCR）のグラフである。このグラフで示すとおり、調整素子を備えない場合に比べて、Ｘ→Ｙ方向とＸ→Ｚ方向のそれぞれのグラフの乖離が押さえられており、特にＸ→Ｙ方向における出現抵抗値や抵抗温度係数のグラフの傾斜が緩やかになっていることが分かる。従って、調整素子２１ａ、２１ｂを配置することで、両抵抗器の電流分布の偏りが小さくなり、抵抗器の実装位置ズレ、あるいは、電圧検出端子取出位置Ｓのズレによる、電流検出の精度のバラツキを抑制できることが分かる。また、本発明は、より低い抵抗値が要求される場合に効果が高く、特に、５ｍΩ以下の電流検出用抵抗器、更に好ましくは１ｍΩ以下の電流検出用抵抗器を並列に実装して使用する場合に好適である。
【００２２】
図１０は本発明の第１変形例の実装構造を示す。この変形例では、ＣｕやＡｌなどの抵抗率が低い材料をクランク状に折り曲げた形状の調整素子２２ａ、２２ｂを採用している。抵抗器の並び方向に沿って、一方の抵抗器１５ａの電極の端部から、他方の抵抗器１５ｂの電極の端部までに及ぶサイズのブリッジ状の調整素子である。上記実施例に比べると、実装面積が小さいため、実装性が向上する。すなわち、はんだ付けを行う場合は、実装面積が大きくなるとボイドの発生が懸念されるが、実装面積が小さいので、そのような懸念が低減する。
【００２３】
図１１は本発明の第２変形例の実装構造を示す。この変形例では、第１変形例と同様にクランク状に折り曲げた形状の調整素子２３ａ、２３ｂを採用している。この調整素子は第１変形例の調整素子と比較して、抵抗器の並び方向に沿って、短く形成されている。
【００２４】
図１２は本発明の第３変形例の実装構造を示す。この変形例では、第１変形例と同様にクランク状に折り曲げた形状の調整素子２４ａ、２４ｂを採用している。この調整素子は同様に抵抗器の並び方向に沿って配置されているが、電流が一方の抵抗器１５ａに流出入する部位の手前に調整素子の接続部位があり、調整素子の他の接続部位が、他の抵抗器１５ｂに電流が流出入する部位の手前となるように、長く配置されている。
【００２５】
図１３は本発明の第４変形例の実装構造を示す。この変形例では、第１変形例と同様にクランク状に折り曲げた形状の調整素子２５ａ、２５ｂを採用している。この調整素子は同様に抵抗器の並び方向に沿って配置されているが、調整素子の幅が配線パターンの幅と等しくなっている。すなわち、電流が抵抗器に流出入する手前で、配線パターンが調整素子に分岐し、電流の一部が配線パターンから分岐して流れ、さらに調整素子から抵抗器に流出入し得る構造になっている。
【００２６】
これまで本発明の一実施形態について説明したが、本発明は上述の実施例に限定されず、その技術的思想の範囲内において種々異なる形態にて実施されてよいことは言うまでもない。
【産業上の利用可能性】
【００２７】
本発明は、低抵抗値の抵抗器を並列接続して使用する、電流検出用抵抗器の実装構造に好適に利用可能である。
【図１Ａ】
0005966224.tif 000002
【図１Ｂ】
0005966224.tif 000003
【図２】
0005966224.tif 000004
【図３】
0005966224.tif 000005
【図４】
0005966224.tif 000006
【図５】
0005966224.tif 000007
【図６】
0005966224.tif 000008
【図７】
0005966224.tif 000009
【図８】
0005966224.tif 000010
【図９】
0005966224.tif 000011
【図１０】
0005966224.tif 000012
【図１１】
0005966224.tif 000013
【図１２】
0005966224.tif 000014
【図１３】
0005966224.tif 000015